(57)【要約】      （修正有）【課題】石膏歯台スクリューリテイン型を提供する。【解決手段】石膏スクリューリテイン歯台型は、工程を簡易化する機能を有し、エラーの発生率を間接的に低減させる。各歯針２０をそれぞれ歯針孔に挿入し、石膏を該本体１０内の収容空間に充入し、石膏が乾燥した後、石膏型スクリューリテイン歯台を形成し、そのうち、形成された型は、口内の形状および各歯間の距離に合わせ、該石膏型スクリューリテイン歯台が平らに整えた上部断面が石膏歯型を迅速に貼り合わせることができ、下部のスクリューリテインが相互に対応する石膏スクリューリテイン歯台の底台に挿入接続され、歯科医師が各単独の歯型を迅速に切削分離し、歯型を修正することができ、複雑な従来方式により石膏歯型を作る必要がない。【選択図】図１１
0003140958.tif 000002
【実用新案登録請求の範囲】
【請求項１】
弧形外壁と、弧形内壁と、上記の弧形外壁と弧形内壁との間に設けられる複数の歯針孔と、該弧形外壁に貼り付き、該歯針孔の位置に対応する複数の照準凸部と、を含む板体と、
上記の弧形外壁、弧形内壁および底板に囲まれて定義される収容空間を含む本体と、
からなり、複数の歯針をそれぞれ歯針孔に挿入した後、該収容空間内に石膏を充填し成形する石膏歯台スクリューリテイン型。
【請求項２】
前記底板が更に、複数の軸向定位凸部を設け、且つ前記の軸向定位凸部が該弧形内壁に貼り付き、該照準凸部に対応する請求項1記載の石膏歯台スクリューリテイン型。
【請求項３】
さらに、定位凸縞を設け、該定位凸縞が弧形内壁に平行な棒状部であり、且つ前記の定位凸縞が該複数の定位凸部の一端部に位置する請求項２記載の石膏歯台スクリューリテイン型。
【請求項４】
前記弧形外壁上に少なくとも１つの溢流孔を設ける請求項１乃至３のいずれか1項記載の石膏歯台スクリューリテイン型。
【請求項５】
更に、係止部を含み、前記の係止部がストッパーと少なくとも１つの挿入針を含み、前記の挿入針が該ストッパーの一側に設けられ、且つ該ストッパーが該底板外形に対応する凹溝を設ける請求項４記載の石膏歯台スクリューリテイン型。
【請求項６】
前記弧形内壁内部が包囲する空間が鏤空部を定義する請求項５記載の石膏歯台スクリューリテイン型。
【請求項７】
前記弧形内外壁前端の歯針孔の直径が内外壁両側端の歯針孔よりも小さい請求項１記載の石膏歯台スクリューリテイン型。
【考案の詳細な説明】
【技術分野】
【０００１】
本考案は、石膏ゴルフボールライナーに関し、特に、迅速に球体を掴むことができるクランプを結合し、操作者が球体上に線を引き易くするゴルフボールライナー。
【背景技術】
【０００２】
入れ歯の製造は、非常に精細である必要があり、そうすることで患者が入れ歯を装着した後、円滑に噛み合うことができ、患者の口に装着する前に、まず口内の状況を模る必要があり、石膏歯型を製造し、模擬測定及び精密な修正を行い、使用者が装着した後、正確な噛み合わせ状況を再現することができる。
【０００３】
従来の石膏歯型は、入れ歯の製造に便利であるために、歯間の隙間が極めて微小であるので、スクリューリテインとセメントリテイン方式を採用し、工程が複雑であり、且つ石膏歯型を製造または実際に装着する時、いずれも歯針を垂直に歯型底台に挿入する必要があり、そうすることで、凹陥の発生を起こして石膏歯型が取れなくなるということがなくなる。
【特許文献１】特開平８−２６６５６０号公報
【考案の開示】
【考案が解決しようとする課題】
【０００４】
従来の型を製造する時、石膏を型内の全ての空間に充填し、成型を完成し、部分的な位置の型が必要であっても、依然として型全体を充填する必要があり、その他の部分の資源の浪費を起こし、改善が必要である。
【０００５】
また、歯針を有する歯の石膏型を製造する時、市販の型は、一回の製造で全ての口の石膏歯型を製造することができず、従来の手続きは、煩雑であり、且つ、そのうちの１つのステップを誤るだけで、その形成される入れ歯は、口内のその他の入れ歯と合わせることができず、患者に不快感を与えるだけではなく、その誤った入れ歯は、再利用することもできず、資源の浪費及びコストの上昇を形成し、現在において克服すべき問題を有している。
【課題を解決するための手段】
【０００６】
本考案の石膏スクリューリテイン歯台型は、工程を簡易化する機能を有し、エラーの発生率を間接的に低減させる。各歯針をそれぞれ歯針孔に挿入し、石膏を該本体内の収容空間に充入し、石膏が乾燥した後、石膏型スクリューリテイン歯台を形成し、そのうち、本考案の収容空間は、弧形外壁と、弧形内壁と、底板から形成されるので、形成される石膏型スクリューリテイン歯台が口内の形状と同一になり、別途切削配列を行う必要がない。
【０００７】
続いて、本考案の本体は、弾性材質であり、石膏型スクリューリテイン歯台乾燥後の脱型を利用することができる。また、底板上に複数の照準凸部を設け、これにより、使用者が形成された石膏型スクリューリテイン歯台の外側から直接各歯針の位置を判断し、切削を行うことができる。
【０００８】
また、底面上に複数の軸向定位凸部を設け、本考案により完成される石膏型がもう１つの型と合わせて載置することができるように補助し、歯の位置の精度を向上させる。更に、定位凸部縞を利用し、載置時の定位を補助し、該定位凸縞が弧形を呈するので、対応する型を載置する時、その弧度の影響により、誤った位置に載置することがないようにする。
【０００９】
石膏を型に充填した後、カッターを使用して表面を平らにし、同時に余った石膏を溢流孔によって、平面状に形成し、後続の貼り合わせに有利にする。
【００１０】
また、係止部を利用し、該収容空間内に載置し、これにより石膏を充填する空間が不要であり、技師が係止部に置き、材料の節約の目的を達成することができる。
【００１１】
更に、鏤空部を利用し本体の弾性変形量を増加し、脱型に便利に使用することができる。
【考案の効果】
【００１２】
本考案の石膏スクリューリテイン歯台型は、工程を簡易化する機能を有し、エラーの発生率を間接的に低減させる。各歯針をそれぞれ歯針孔に挿入し、石膏を該本体内の収容空間に充入し、石膏が乾燥した後、石膏型スクリューリテイン歯台を形成し、そのうち、形成された型は、口内の形状および各歯間の距離に合わせ、該石膏型スクリューリテイン歯台が平らに整えた上部断面が石膏歯型を迅速に貼り合わせることができ、下部のスクリューリテインが相互に対応する石膏スクリューリテイン歯台の底台に挿入接続され、歯科医師が各単独の歯型を迅速に切削分離し、歯型を修正することができ、複雑な従来方式により石膏歯型を作る必要がない。
【考案を実施するための最良の形態】
【００１３】
図１から図３に示すように、本考案の石膏歯台スクリューリテイン型は、本体１０を含み、前記本体１０は、弧形外壁１２と、弧形内壁１４と、底板１６と、収容空間１８とを含み、そのうち、該本体１０は、弾性材質から構成され、且つ該収容空間１８は、上記の弧形外壁１２と、該弧形内壁１４と、底板１６に囲われて定義され、充填した石膏を収容することに用い、また、該歯針孔１６２及び複数の照準凸部１６４を設け、そのうち、該歯針孔１６２は、上記の弧形外壁１２と弧形内壁１４との間に設けられ、歯針２０を挿入させることに用い、そのうち、弧形内外壁１２前端の歯針孔１６２の直径は、弧形内外壁１４，１２両側端の歯針孔１６２より小さく設計することができる。これにより、本考案が焼き入れした製成品の石膏型スクリューリテイン歯台は、石膏歯型に結合し、歯科医が１つの石膏歯型完成品を分割する時に内外壁１４，１２前端が口内歯型前端近隣の門歯の位置であり、該位置がＵ型であり、底部の隣接する距離は、歯台の弧度が比較的小さいので空間が制限され、該位置の歯は、分割時に前記の比較的小さい歯針孔１６２を利用し、比較的小さな底台の歯針２０を合わせて空間が緊迫する問題を解決する。
【００１４】
前記の照準凸部１６４は、該弧形外壁１２にしっかり抵触し、該歯針孔１６に対応する位置に設置され、続いて、更に該底板１６上に複数の軸向定位凸部１６６が設けられ、そのうち、前記の軸向定位凸部１６６は、該弧形内壁１４にしっかりと抵触し、同時に図１２，１３に示すように、充填した石膏を成型した後、使用者が照準凸部１６４の模る石膏スクリューリテイン歯台３０の照準凹陥部３２から歯針の位置を確認し、単一の石膏歯型に分割し、歯針２０の正確な位置を判断し載置する時、自動照準の作用を有する。
【００１５】
そのうち、さらに、各軸向定位凸部１６６の端部に定位凸縞１６８を設け、該定位凸縞１６８が平行であり、内壁１４に平行な棒状部であり、前記の定位凸縞１６８は該複数の定位凸部１６６の一端部に位置する。該定位凸部１６６と同時に照準の機能を有する。
【００１６】
該弧形外壁１２上に少なくとも１つの溢流孔１２２を設け、使用者が石膏を充填した後、表面の石膏を平らに削る時、余った石膏を一緒に該溢流孔１２２に排出し、平らに削る工程の操作に便利である。
【００１７】
また、該弧形内外壁１４，１２内部が包囲する空間が鏤空部を定義し、これにより、本体１０の弾性材質の柔軟に屈折する能力を利用し、石膏型スクリューリテイン歯台３０を離脱させることができる。
【００１８】
図５から図８に示すように、本考案は、更に係止部４０を含み、前記係止部４０はストッパー４２と少なくとも１つの挿入針４４を含み、そのうち、前記の挿入針４４は、該ストッパーの一側に設けられ、且つ該側に該底板１０の形状に対応する凹溝４２２を設け、これにより、本体１０の収容空間１８内に収容し、充填が不要な所を隔絶することに用いることができる。該歯針２０を本体上の歯針孔１６２内に挿入し、該ストッパーを該底板１６と寄せ合わせ、使用者が必要な所だけ充填すればよく、原料を無駄にすることなく、その成形の後、図９に示すように、発生される石膏型スクリューリテイン歯台３０は、例えば、一部が欠けた、または任意の一部分であることができる。
【００１９】
図１０から図１３に示すように、複数の歯針２０をそれぞれ歯針孔１６２に挿入した後、該収容空間１８内に石膏を充填し乾燥成形する。該成形した石膏型スクリューリテイン歯台３０は、該石膏型スクリューリテイン歯台３０は、該石膏型スクリューリテイン歯台３０を平らに整えた上部断面が石膏歯型を迅速に貼り合わせることができ、下部の歯針２０が相互に対応する石膏スクリューリテイン歯台３０の底台に挿入接続され、完全な歯型を完成させ、また、スクリューリテインの動作を行う必要がある歯に対して、照準凸部１６４の位置を確認した後、歯科医師が各単独の歯型を迅速に切削分離し、歯型を修正することができ、複雑な従来方式により石膏歯型を作る必要がない。そのうち、歯針２０が挿入される石膏スクリューリテイン歯型３０相対する底台は、石膏型スクリューリテイン歯台３０の照準凸部１６４、定位凸縞１６８、軸向定位凸部１６６と相対する凹陥部３２を有し、石膏型スクリューリテイン歯型３０を結合して定位固定する機能として用いられる。
【００２０】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００２１】
【図１】本考案の実施例の立体図である。
【図２】本考案の実施例の俯瞰図である。
【図３】本考案の実施例の断面図である。
【図４】本考案の実施例の底面図である。
【図５】本考案の実施例の係止部の立体図である。
【図６】本考案の実施例の係止部のもう１つの視角の立体図である。
【図７】本考案の実施例の係止部を置く説明図である。
【図８】本考案の実施例の係止部を置く説明図である。
【図９】図７から生成される型の立体図である。
【図１０】本考案の操作実施例の立体図である。
【図１１】本考案の操作実施例の立体図である。
【図１２】本考案の操作実施例の立体図である。
【図１３】本考案の実施例の立体図である。
【符号の説明】
【００２２】
１０  本体
１２  孤形外壁
１２２  溢流孔
１４  孤形内壁
１４２  鏤空部
１６  底板
１６２  歯針孔路
１６４  照準凸部
１６６  軸向定位凸部
１６８  定位凸縞
１８  収容空間
２０  歯針
３０  石膏型スクリューリテイン歯台
３０２  観察槽
３２  凹陥部
４０  係止部
４２  ストッパー
４２２  凹溝
４４  挿入針
【図１】
0003140958.tif 000003
【図２】
0003140958.tif 000004
【図３】
0003140958.tif 000005
【図４】
0003140958.tif 000006
【図５】
0003140958.tif 000007
【図６】
0003140958.tif 000008
【図７】
0003140958.tif 000009
【図８】
0003140958.tif 000010
【図９】
0003140958.tif 000011
【図１０】
0003140958.tif 000012
【図１１】
0003140958.tif 000013
【図１２】
0003140958.tif 000014
【図１３】
0003140958.tif 000015